(57)【要約】  基地局装置は、第１、第２及び第３の伝送経路それぞれの評価値を算出するための情報を収集する情報収集部と、収集した情報に基づき、第１、第２及び第３の伝送経路それぞれの評価値を算出する評価値算出部と、第１、第２及び第３の伝送経路それぞれの評価値を用いて、移動通信端末が使用する伝送経路を選択する伝送経路選択部と、を備える。
2012115229.tif 000002
【特許請求の範囲】
【請求項１】
基地局装置と、移動通信端末と、前記基地局装置と前記移動通信端末の間でデータ伝送を中継するリレー局装置を備える無線通信システムであって、
コンポーネントキャリアである第１のキャリアを使用して前記基地局装置と前記移動通信端末間の無線通信を行う第１の伝送経路と、
前記第１のキャリアと周波数が異なるコンポーネントキャリアである第２のキャリアを使用して前記基地局装置と前記移動通信端末間の無線通信を行う第２の伝送経路と、
前記第１のキャリアを使用して、前記基地局装置と前記リレー局装置間の無線通信を行うとともに、第３のキャリアを使用して前記リレー局装置と前記移動通信端末間の無線通信を行うことにより、前記リレー局装置を経由して、前記基地局装置と前記移動通信端末間の無線通信を行う第３の伝送経路のうち、２つ以上の伝送経路が使用可能であり、
前記基地局装置は、
前記第１、第２及び第３の伝送経路それぞれの評価値を算出するための情報を収集する情報収集部と、
前記収集した情報に基づき、前記第１、第２及び第３の伝送経路それぞれの評価値を算出する評価値算出部と、
前記第１、第２及び第３の伝送経路それぞれの評価値を用いて、前記移動通信端末が使用する伝送経路を選択する伝送経路選択部と、
を備える無線通信システム。
【請求項２】
前記基地局装置は、前記情報を収集するために、前記リレー局装置に対してキャリアアグリゲーションの候補となるコンポーネントキャリアを使用してリファレンス信号を送信することを要求し、キャリアアグリゲーションを行う前記移動通信端末に対して、前記基地局装置および周辺の複数のリレー局装置が送信しているリファレンス信号の測定を要求し、
前記移動通信端末は、前記リファレンス信号の測定要求に応じて測定された測定結果情報を前記基地局装置に対して報告する請求項１に記載の無線通信システム。
【請求項３】
前記基地局装置は、前記情報を収集するために、前記移動通信端末に対してキャリアアグリゲーションの候補となるコンポーネントキャリアを使用してリファレンス信号を送信することを要求し、キャリアアグリゲーションを行う前記リレー局装置に対して、周辺の前記移動通信端末が送信しているリファレンス信号の測定を要求し、
前記リレー局装置は、前記リファレンス信号の測定要求に応じて測定された測定結果情報を前記基地局装置に対して報告する請求項１または２に記載の無線通信システム。
【請求項４】
移動通信端末と、リレー局装置と無線通信を行う基地局装置であって、
コンポーネントキャリアである第１のキャリアを使用して前記基地局装置と前記移動通信端末間の無線通信を行う第１の伝送経路と、
前記第１のキャリアと周波数が異なるコンポーネントキャリアである第２のキャリアを使用して前記基地局装置と前記移動通信端末間の無線通信を行う第２の伝送経路と、
前記第１のキャリアを使用して、前記基地局装置と前記リレー局装置間の無線通信を行うとともに、第３のキャリアを使用して前記リレー局装置と前記移動通信端末間の無線通信を行うことにより、前記リレー局装置を経由して、前記基地局装置と前記移動通信端末間の無線通信を行う第３の伝送経路のうち、２つ以上の伝送経路が使用可能であり、
前記第１、第２及び第３の伝送経路それぞれの評価値を算出するための情報を収集する情報収集部と、
前記収集した情報に基づき、前記第１、第２及び第３の伝送経路それぞれの評価値を算出する評価値算出部と、
前記第１、第２及び第３の伝送経路それぞれの評価値を用いて、前記移動通信端末が使用する伝送経路を選択する伝送経路選択部と、
を備える基地局装置。
【請求項５】
基地局装置と、移動通信端末と、前記基地局装置と前記移動通信端末の間でデータ伝送を中継するリレー局装置を備える無線通信システムにおける無線通信経路選択方法であって、
コンポーネントキャリアである第１のキャリアを使用して前記基地局装置と前記移動通信端末間の無線通信を行う第１の伝送経路と、
前記第１のキャリアと周波数が異なるコンポーネントキャリアである第２のキャリアを使用して前記基地局装置と前記移動通信端末間の無線通信を行う第２の伝送経路と、
前記第１のキャリアを使用して、前記基地局装置と前記リレー局装置間の無線通信を行うとともに、第３のキャリアを使用して前記リレー局装置と前記移動通信端末間の無線通信を行うことにより、前記リレー局装置を経由して、前記基地局装置と前記移動通信端末間の無線通信を行う第３の伝送経路のうち、２つ以上の伝送経路が使用可能であり、
前記基地局装置は、
前記第１、第２及び第３の伝送経路それぞれの評価値を算出するための情報を収集し、
前記収集した情報に基づき、前記第１、第２及び第３の伝送経路それぞれの評価値を算出し、
前記第１、第２及び第３の伝送経路それぞれの評価値を用いて、前記移動通信端末が使用する伝送経路を選択する無線通信経路選択方法。
【請求項６】
前記基地局装置は、前記情報を収集するために、前記リレー局装置に対してキャリアアグリゲーションの候補となるコンポーネントキャリアを使用してリファレンス信号を送信することを要求し、キャリアアグリゲーションを行う前記移動通信端末に対して、前記基地局装置および周辺の複数のリレー局装置が送信しているリファレンス信号の測定を要求し、
前記移動通信端末は、前記リファレンス信号の測定要求に応じて測定された測定結果情報を前記基地局装置に対して報告する請求項５に記載の無線通信経路選択方法。
【請求項７】
前記基地局装置は、前記情報を収集するために、前記移動通信端末に対してキャリアアグリゲーションの候補となるコンポーネントキャリアを使用してリファレンス信号を送信することを要求し、キャリアアグリゲーションを行う前記リレー局装置に対して、周辺の前記移動通信端末が送信しているリファレンス信号の測定を要求し、
前記リレー局装置は、前記リファレンス信号の測定要求に応じて測定された測定結果情報を前記基地局装置に対して報告する請求項５または６に記載の無線通信経路選択方法。
【発明の詳細な説明】
【技術分野】
【０００１】
本発明は、無線通信システム、基地局装置及び無線通信経路選択方法に関する。
本願は、２０１１年２月２５日に、日本に出願された特願２０１１−０３９９８３号に基づき優先権を主張し、その内容をここに援用する。
【背景技術】
【０００２】
近年の移動通信システムは、従来の通話のみの用途の通信システムに比べ、より高い無線品質が要求され、移動通信端末の送信電力が電源容量などの制約で制限される。そのため、１つの無線基地局がカバーする無線エリアの拡張が困難である。そこで、通信サービスエリアの拡大や通信品質の向上などの目的で、リレー局（中継局）を通信サービスエリアの遠端部や電波不感地帯に配置するリレー通信システムが用いられている（例えば、特許文献１参照）。このリレー通信システムでは、無線基地局と移動通信端末局との間でリレー局を介してリレー通信を行う。【０００３】
また、リレー局を介した基地局と移動通信端末（以下、移動局という）との無線通信システムにおいて、移動局と基地局間の伝送路で通信するか、リレー局を介して通信するかを判定する場合、使用周波数帯域、伝送時間、伝播損失値、伝播損失変動値幅、相対移動速度、送信電力値の情報からそれぞれの経路の評価値を算出し、評価値に基づいて経路を算出するシステムが知られている（例えば、特許文献２参照）。【０００４】
一方、ＬＴＥ−Ａ（Long Term Evolution-Advanced：非特許文献１）では、周波数的に連続したあるいは不連続な複数のキャリア（これをコンポーネントキャリアという）を使用して同時に送受信することにより、高速かつ大容量な通信を実現する技術が検討されている。また、第３．９世代（ＬＴＥ：Long Term Evolution）の無線通信システムに対する互換性を維持するために、ＬＴＥ−Ａに準拠した基地局装置では、ＬＴＥ−Ａにて使用する複数の周波数帯域を、旧世代の無線通信システムの周波数帯域ごとのコンポーネントキャリア（例えば、２０ＭＨｚなど）に分割することが検討されている。また、旧世代の移動局に対しては、コンポーネントキャリアのうちの１つを利用して通信し、ＬＴＥ−Ａの移動局に対しては、複数の周波数帯域にわたるコンポーネントキャリアを複数同時に利用して通信することが検討されている。
【先行技術文献】
【特許文献】
【０００５】
【特許文献１】特開２００８−６０９５１号公報
【特許文献２】特開２０１０−２３２９４５号公報
【非特許文献】
【０００６】
【非特許文献１】3GPP TR36.814 V0.4.1(2009-02), 3rd Generation Partnership Project; Technical Specification Group Radio Access Network; Further Advancements for E-UTRA Physical Layer Aspects (Release 9)
【発明の概要】
【発明が解決しようとする課題】
【０００７】
ところで、特許文献２に記載の無線通信システムによれば、伝送路の評価値を算出して最適な伝送路を選択することが可能であるが、比較すべき伝送路が検出済みの伝送路を前提としている。特許文献２は、検出済みの伝送路の中から最適な伝送路を選択する方法について言及しており、どのようにして評価対象となる伝送路を検出するのか、また、どのような信号を評価するのか、どのような手順で評価対象となる信号を送信し、または送信させて評価値算出のためのパラメータを算出するのかについては言及されていない。そのため、どのようにして評価値算出に必要なパラメータ（伝送路損失、受信電力など）を算出するのかについて明確に示されていない。さらにリレー局を使用するキャリアアグリゲーション（ＣＡ：ＬＴＥと互換性のある最大２０ＭＨｚ帯域の周波数ブロックを複数束ねて使用する技術）について考慮がなされていない。【０００８】
本発明は、このような事情に鑑みてなされたもので、基地局装置と複数の移動通信端末の間でキャリアアグリゲーションによる通信を行う場合に、リレー局装置経由の経路を含む各経路の評価値に基づく経路選択を行うことが可能な無線通信システム、基地局装置及び無線通信経路選択方法を提供することを目的とする。
【課題を解決するための手段】
【０００９】
（１）  本発明の第１の態様は、基地局装置と、移動通信端末と、前記基地局装置と前記移動通信端末の間でデータ伝送を中継するリレー局装置を備える無線通信システムであって、コンポーネントキャリアである第１のキャリアを使用して前記基地局装置と前記移動通信端末間の無線通信を行う第１の伝送経路と、前記第１のキャリアと周波数が異なるコンポーネントキャリアである第２のキャリアを使用して前記基地局装置と前記移動通信端末間の無線通信を行う第２の伝送経路と、前記第１のキャリアを使用して、前記基地局装置と前記リレー局装置間の無線通信を行うとともに、第３のキャリアを使用して前記リレー局装置と前記移動通信端末間の無線通信を行うことにより、前記リレー局装置を経由して、前記基地局装置と前記移動通信端末間の無線通信を行う第３の伝送経路のうち、２つ以上の伝送経路が使用可能であり、前記基地局装置は、前記第１、第２及び第３の伝送経路それぞれの評価値を算出するための情報を収集する情報収集部と、前記収集した情報に基づき、前記第１、第２及び第３の伝送経路それぞれの評価値を算出する評価値算出部と、前記第１、第２及び第３の伝送経路それぞれの評価値を用いて、前記移動通信端末が使用する伝送経路を選択する伝送経路選択部と、を備える無線通信システムである。【００１０】
（２）  なお、本発明の第１の態様において、前記基地局装置は、前記情報を収集するために、前記リレー局装置に対してキャリアアグリゲーションの候補となるコンポーネントキャリアを使用してリファレンス信号を送信することを要求し、キャリアアグリゲーションを行う前記移動通信端末に対して、前記基地局装置および周辺の複数のリレー局装置が送信しているリファレンス信号の測定を要求し、前記移動通信端末は、前記リファレンス信号の測定要求に応じて測定された測定結果情報を前記基地局装置に対して報告しても良い。【００１１】
（３）  また、本発明の第１の態様において、前記基地局装置は、前記情報を収集するために、前記移動通信端末に対してキャリアアグリゲーションの候補となるコンポーネントキャリアを使用してリファレンス信号を送信することを要求し、キャリアアグリゲーションを行う前記リレー局装置に対して、周辺の前記移動通信端末が送信しているリファレンス信号の測定を要求し、前記リレー局装置は、前記リファレンス信号の測定要求に応じて測定された測定結果情報を前記基地局装置に対して報告しても良い。【００１２】
（４）  また、本発明の第２の態様は、移動通信端末と、リレー局装置と無線通信を行う基地局装置であって、コンポーネントキャリアである第１のキャリアを使用して前記基地局装置と前記移動通信端末間の無線通信を行う第１の伝送経路と、前記第１のキャリアと周波数が異なるコンポーネントキャリアである第２のキャリアを使用して前記基地局装置と前記移動通信端末間の無線通信を行う第２の伝送経路と、前記第１のキャリアを使用して、前記基地局装置と前記リレー局装置間の無線通信を行うとともに、第３のキャリアを使用して前記リレー局装置と前記移動通信端末間の無線通信を行うことにより、前記リレー局装置を経由して、前記基地局装置と前記移動通信端末間の無線通信を行う第３の伝送経路のうち、２つ以上の伝送経路が使用可能であり、前記第１、第２及び第３の伝送経路それぞれの評価値を算出するための情報を収集する情報収集部と、前記収集した情報に基づき、前記第１、第２及び第３の伝送経路それぞれの評価値を算出する評価値算出部と、前記第１、第２及び第３の伝送経路それぞれの評価値を用いて、前記移動通信端末が使用する伝送経路を選択する伝送経路選択部と、を備える基地局装置である。【００１３】
（５）  本発明の第３の態様は、基地局装置と、移動通信端末と、前記基地局装置と前記移動通信端末の間でデータ伝送を中継するリレー局装置を備える無線通信システムにおける無線通信経路選択方法であって、コンポーネントキャリアである第１のキャリアを使用して前記基地局装置と前記移動通信端末間の無線通信を行う第１の伝送経路と、前記第１のキャリアと周波数が異なるコンポーネントキャリアである第２のキャリアを使用して前記基地局装置と前記移動通信端末間の無線通信を行う第２の伝送経路と、前記第１のキャリアを使用して、前記基地局装置と前記リレー局装置間の無線通信を行うとともに、第３のキャリアを使用して前記リレー局装置と前記移動通信端末間の無線通信を行うことにより、前記リレー局装置を経由して、前記基地局装置と前記移動通信端末間の無線通信を行う第３の伝送経路のうち、２つ以上の伝送経路が使用可能であり、前記基地局装置は、前記第１、第２及び第３の伝送経路それぞれの評価値を算出するための情報を収集し、前記収集した情報に基づき、前記第１、第２及び第３の伝送経路それぞれの評価値を算出し、前記第１、第２及び第３の伝送経路それぞれの評価値を用いて、前記移動通信端末が使用する伝送経路を選択する。【００１４】
（６）  なお、本発明の第３の態様において、前記基地局装置は、前記情報を収集するために、前記リレー局装置に対してキャリアアグリゲーションの候補となるコンポーネントキャリアを使用してリファレンス信号を送信することを要求し、キャリアアグリゲーションを行う前記移動通信端末に対して、前記基地局装置および周辺の複数のリレー局装置が送信しているリファレンス信号の測定を要求し、前記移動通信端末は、前記リファレンス信号の測定要求に応じて測定された測定結果情報を前記基地局装置に対して報告しても良い。【００１５】
（７）  また、本発明の第３の態様において、前記基地局装置は、前記情報を収集するために、前記移動通信端末に対してキャリアアグリゲーションの候補となるコンポーネントキャリアを使用してリファレンス信号を送信することを要求し、キャリアアグリゲーションを行う前記リレー局装置に対して、周辺の前記移動通信端末が送信しているリファレンス信号の測定を要求し、前記リレー局装置は、前記リファレンス信号の測定要求に応じて測定された測定結果情報を前記基地局装置に対して報告しても良い。
【発明の効果】
【００１６】
本発明によれば、リレー局装置経由の伝送経路の評価値の算出を行い、リレー局装置経由の伝送経路を含めた最適な経路選択によるキャリアアグリゲーションを適用した無線通信が可能になるという効果が得られる。
【図面の簡単な説明】
【００１７】
【図１】本発明の一実施形態に係る無線通信システムの概念図である。
【図２】本実施形態に係る移動局、基地局、リレー局の構成をブロック図である。
【図３】本実施形態に係る無線通信システムにおける無線通信経路選択動作を示すシーケンス図である。
【図４】本実施形態に係る無線通信システムにおける無線通信経路選択動作を示すシーケンス図である。
【発明を実施するための形態】
【００１８】
以下、図面を参照して、本発明の一実施形態による無線通信システムを説明する。図１は、本実施形態の無線通信システムの概念図である。本実施形態における無線通信システムは、移動通信端末（以下、移動局という）１−１、移動局１−２と、基地局装置（以下、基地局という）２と、リレー局装置（以下、リレー局という）３によって構成される。図１において実線で示した楕円のエリアは、およそのセルエリアを示している。基地局２は、第１のキャリア（搬送波）によってセルａを運営し、第２のキャリア（搬送波）によってセルｂを運営する。例えば、第１のキャリアは８００ＭＨｚ帯のコンポーネントキャリアであり、第２のキャリアは２ＧＨｚ帯のコンポーネントキャリアである。また、第１のキャリアは基地局２とリレー局３の間のバックホールリンク（Backhaul Link：基地局−リレー局間のリンク）にも使用される。リレー局３は、第３のキャリア（搬送波）をリレー局３と移動局との間のアクセスリンク（Access Link）に使用してセルｃを運営する。ここでは、移動局１−１は、セルｂ内に存在し、移動局１−２はセルｃ内に存在する。
【００１９】
リレー局３の第３のキャリアの送信電力および基地局２の第２のキャリアの送信電力は、基地局２の第１のキャリアでの送信電力より小さいため、セルｂ、セルｃはセルａより狭いエリアとなる。このとき、第２のキャリアおよび第３のキャリアは、同一の周波数あるいは異なる周波数であってもよい。
【００２０】
基地局２は、基地局のエリア内の複数のリレー局３を含む通信の伝送経路選択を制御する機能を有する。図１においては、基地局数が１であるのに対して、リレー局数が１であり、移動局数が２である無線通信システムを示している。しかし、実際には基地局数が１であるのに対して、複数のリレー局３と、３以上の移動局１−ｎから無線通信システムが構成される。
【００２１】
ここでは、図１に示す移動局１−１は、セルａに在圏中は、第１のキャリアを使用して待ち受けしており、発着信も第１のキャリアを使用して基地局２に接続する。
移動局１−１が第１のキャリアにより基地局２と接続後、２つのコンポーネントキャリアを使用してキャリアアグリゲーションによる通信を行う際に、基地局２は、第２のキャリアを停波していた場合、第２のキャリアを送信し、セルｂを形成する。さらに基地局２は、リレー局３がアクセスリンク（ダウンリンク）を停波している場合は、リレー局３に対してアクセスリンクの送信を要求する。リレー局３はその要求に応え、アクセスリンクの送信を開始してセルｃを形成する。
【００２２】
このとき、基地局２と移動局１−１の間において以下の伝送経路１〜３をキャリアアグリゲーションの伝送経路の候補とすることができる。
伝送経路１：基地局２−移動局１−１（第１のキャリアを使用）
伝送経路２：基地局２−移動局１−１（第２のキャリアを使用）
伝送経路３：基地局２−リレー局３−移動局１−１
【００２３】
また、移動局１−２が第１のキャリアにより基地局２と接続後、２つのコンポーネントキャリアを使用してキャリアアグリゲーションによる通信を行う際に、基地局２と移動局１−２の間で以下の伝送経路４〜６をキャリアアグリゲーションの伝送経路の候補とすることができる。
伝送経路４：基地局２−移動局１−２（第１のキャリアを使用）
伝送経路５：基地局２−移動局１−２（第２のキャリアを使用）
伝送経路６：基地局２−リレー局３−移動局１−２
【００２４】
キャリアアグリゲーションの伝送経路（コンポーネントキャリア）選択には、特許文献２に示される伝送経路選択方式を適用し、移動局１−１について伝送経路１〜３の評価値（Ｅ経路１、Ｅ経路２、Ｅ経路３）を算出し、比較することで最適な２つの伝送経路を選択して決定する。このとき、移動局１−１に関する伝送経路１〜３の評価値がＥ経路１≦Ｅ経路２≦Ｅ経路３（評価値Ｅの値が小さい方が伝送品質の高い伝送経路である）である場合には、移動局１−１に関するキャリアアグリゲーションの伝送経路として最適な伝送経路１および伝送経路２を選択することができる。
【００２５】
また、移動局１−２について伝送経路４〜６の評価値（Ｅ経路４、Ｅ経路５、Ｅ経路６）を算出し、比較することで最適な２つの伝送経路を選択して決定する。このとき、移動局１−２に関する伝送経路４〜５の評価値がＥ経路６≦Ｅ経路４≦Ｅ経路５（評価値Ｅ値が小さい方が伝送品質の高い伝送経路である）である場合には、移動局１−２に関するキャリアアグリゲーションの伝送経路として最適な伝送経路４および伝送経路６を選択することができる。
【００２６】
また、第２のキャリアと第３のキャリアが同一周波数を使用している場合には、在圏しているセルの第１のキャリアを第１のキャリアとし、第２のキャリアの選択のために移動局１−１については、伝送経路２と伝送経路３の評価値を算出し、比較することで最適な伝送経路を選択して決定することができる。第２のキャリアと第３のキャリアが同一周波数でなくても、在圏しているセルの第１のキャリアは、必ずキャリアアグリゲーションの伝送経路として使用するのであれば、同様に伝送経路２と伝送経路３の評価値の比較により伝送経路を選択することができる。
【００２７】
このとき、移動局１−１に関する伝送経路２と伝送経路３の評価値がＥ経路２≦Ｅ経路３（評価値Ｅ値が小さい方が伝送品質の高い伝送経路である）である場合には、移動局１−１に関するキャリアアグリゲーションの伝送経路として最適な伝送経路１および伝送経路２を選択することができる。同様に移動局１−２に関する伝送経路５と伝送経路６の評価値がＥ経路６≦Ｅ経路５（評価値Ｅ値が小さい方が伝送品質の高い伝送経路である）である場合には、移動局１−２に関するキャリアアグリゲーションの伝送経路として最適な伝送経路４および伝送経路６を選択することができる。
【００２８】
以上の説明においては、基地局２に対してリレー局３が１つの場合を例にして説明した。しかし、リレー局３が複数存在する場合には、各々の基地局−リレー局−移動局に関する伝送経路の評価値を算出し、それらの値を比較することにより最適なキャリアアグリゲーションの伝送経路を選択することが可能である。
【００２９】
次に、図２を参照して、図１に示す移動局１−１、基地局２及びリレー局３の詳細な構成を説明する。なお、移動局１−２の構成は、移動局１−１の構成と同様であるため、その説明を省略する。移動局１−１は、無線通信システムにおいて用いられる。図１に示す移動局１−１と移動局１−２は、同様の構成を備えているため、ここでは、移動局１−１の構成について説明する。基地局２は、通信サービスエリアを有し、移動局１−１及び１−２と無線通信の伝送路を確立する。リレー局３は、基地局２の通信サービスエリアの遠端部や電波不感地帯に配置され、基地局２の通信サービスエリアの拡大や通信品質の向上などの目的で特定の通信サービスエリアを有する。移動局１−１及び１−２と基地局２との間で無線通信を行う場合、リレー局３を介してリレー通信を行うことにより、基地局２の通信サービスエリアの拡大や通信品質の向上を図る。
【００３０】
次に、図１に示す移動局１−１の構成を説明する。移動局１−１は、無線部１１、送信部１２、受信部１３、制御部１４、アプリケーション部１５、測定部１６を備える。無線部１１は、無線信号を送受信するためのアンテナで受信した無線信号をベースバンド信号に変換し、送信を行うべきベースバンド信号を無線信号に変換する。送信部１２は、送信データに対して符号化処理及び変調処理を行い、ベースバンド信号を生成する。受信部１３は、無線部１１でベースバンド信号に変換された受信信号に対して、復調処理及び復号処理を行う。制御部１４は、移動局１−１及び１−２の処理動作を統括して制御する。アプリケーション部１５は、音声通話やパケット通信サービスなどのアプリケーション処理及びユーザインタフェース処理を行う。測定部１６は、通信品質の評価値を求めるために、無線部１１において、送受信した信号の測定を行う。
【００３１】
次に、図１に示す基地局２の構成を説明する。基地局２は、無線部２１、送信部２２、受信部２３、制御部２４、ネットワーク通信部２５、測定部２６、経路選択部２７を備える。無線部２１は、アンテナを介して、移動局１−１、１−２、または、リレー局３との間で送受信する無線信号をベースバンドへダウンコンバートしたり、ベースバンド信号を無線信号へアップコンバートしたりする。送信部２２は、移動局１−１、１−２またはリレー局３に送信するデータを生成し変調を行う。受信部２３は、移動局１−１、１−２またはリレー局３から送信されたデータを受信して復調する。制御部２４は、基地局２の処理動作を統括して制御する。ネットワーク通信部２５は、コアネットワークとの間で通信を行う。測定部２６は、通信品質の評価値を求めるために、無線部２１において、送受信した信号の測定を行う。経路選択部２７は、測定部２６において測定した測定値を用いて算出した伝送経路それぞれの評価値Ｅに基づいて、移動局１−１、１−２と基地局２との間の伝送経路を選択して決定する。
【００３２】
次に、図１に示すリレー局３の構成を説明する。リレー局３は、無線部３１、送信部３２、受信部３３、制御部３４、測定部３５を備える。無線部３１は、アンテナを介して、移動局１−１、１−２または基地局２との間で送受信する無線信号をベースバンドへダウンコンバートしたり、ベースバンド信号を無線信号へアップコンバートしたりする。送信部３２は、中継するために送信するべきデータを生成し変調を行う。受信部３３は、中継するために受信したデータを復調する。制御部３４は、リレー局３の処理動作を統括して制御し、受信部３３において受信したデータのうち、中継するべきデータを、送信部３２を介して送信を行う。
【００３３】
なお、移動局１−１、１−２、基地局２及びリレー局３の構成を、図２を参照して説明するに際して、移動局、基地局及びリレー局が普通に有する公知の機能および構成については、本実施形態の説明に直接関わりがない限り、その説明及び構成の図示を省略する。
【００３４】
次に、図１、図２に示す移動局１−１、１−２、基地局２及びリレー局３によるキャリアアグリゲーション伝送経路の選択処理動作を説明する。始めに、図３を参照して、リレー局３を介さずに基地局２と移動局１−１が通信を行う動作を説明する。ここでは、移動局１−１が基地局のセルａ（第１のキャリア）に在圏している場合について説明する。移動局１−１の発信手続きまたは移動局１−１の着信手続き後（ステップＳ１，Ｓ２）、移動局１−１は、２つのコンポーネントキャリアによるキャリアアグリゲーションを行う。具体的には、ステップＳ１では、移動局１−１と基地局２の間では、ＲＲＣ接続確立（RRC Connection Establishment）の処理が行われる。また、ステップＳ２では、移動局１−１と基地局２の間では、ＥＰＳ接続確立（EPS Connection Establishment）の処理が行われる。
【００３５】
まず、基地局２の制御部２４は、送信部２２、無線部２１を介して、第１のキャリアおよび第２のキャリアを使用してＣＳＩ−ＲＳ（Channel State Information-Reference Signal：ダウンリンクチャネルの状態を求めるために送信する信号）を送信する（ステップＳ３）。そして、基地局２の制御部２４は、送信部２２、無線部２１を介して、リレー局３に対し、ＣＳＩ−ＲＳの送信を要求する要求信号を送信する（ステップＳ４）。この要求信号は、リレー局３の無線部３１、受信部３３を介して制御部３４が受信する。この要求信号を受けて、リレー局３の制御部３４は、ＣＳＩ−ＲＳ送信要求信号に従い、第３のキャリアを使用して、ＣＳＩ−ＲＳの信号を送信する（ステップＳ５）。
【００３６】
次に、基地局２の制御部２４は、送信部２２、無線部２１を介して、移動局１−１に対してＣＳＩ−ＲＳの信号の測定を要求する要求信号を送信する（ステップＳ６）。この要求信号は、移動局１−１の無線部１１、受信部１３を介して、制御部１４が受信する。このＣＳＩ−ＲＳ測定要求信号を受けて、移動局１−１の制御部１４は、測定部１６に対して、ＣＳＩ−ＲＳの信号測定を指示する。測定部１６は、無線部１１において受信した在圏するセルを含めた周辺セルのＣＳＩ−ＲＳの信号測定を行い、この信号測定結果の情報を制御部１４へ出力する（ステップＳ７）。制御部１４は、測定部１６から出力されたＣＳＩ−ＲＳの信号測定結果の情報を送信部１２、無線部１１を介して基地局２に対して送信する（ステップＳ８）。これにより、第１〜第３のキャリアのＣＳＩ−ＲＳの信号測定結果が基地局２へ報告される。
【００３７】
次に、基地局２の制御部２４は、送信部２２、無線部２１を介して、ＳＲＳ（Sounding Reference Signal：アップリンクのＣＱＩ（Channel Quality Indication：周波数ごとにチャネルの品質を示す指示子）を求める為に送信される信号）の送信を要求する要求信号を移動局１−１に対して送信する（ステップＳ９）。この要求信号は、無線部１１、受信部１３を介して、制御部１４が受信する。このＳＲＳ送信要求信号を受けて、制御部１４は、第１〜第３のキャリアに対応するコンポーネントキャリアを使用してＳＲＳの信号を送信部１２、無線部１１を介して送信する（ステップＳ１０）。このとき、アップリンクとダウンリンクで異なる周波数を割り当てるＦＤＤ（Frequency Division Duplex：周波数分割複信）を用いる場合では、第１および第２のキャリアとそれぞれペアをなすコンポーネントキャリアを用いる。また、同じ周波数を時間ごとにアップリンクとダウンリンクで切り替えるＴＤＤ（Time Division Duplex：時分割複信）では、同一周波数のコンポーネントキャリアを用いる。
【００３８】
次に、基地局２の制御部２４は、送信部２２、無線部２１を介して、リレー局３に対して、ＳＲＳおよびＣＳＩ−ＲＳの測定を要求する要求信号を送信する（ステップＳ１１）。この要求信号は、無線部３１、受信部３３を介して、制御部３４が受信する。これを受けてリレー局３の制御部３４は、測定部３５に対して、ＳＲＳおよびＣＳＩ−ＲＳの信号測定を指示する。測定部３５は、この指示を受けて、無線部３１において受信したＳＲＳおよびＣＳＩ−ＲＳの信号測定を行い、測定結果の情報を制御部３４へ出力する。制御部３４は、測定部３５から出力されたＣＳＩ−ＲＳの信号測定結果の情報を送信部３２、無線部３１を介して、基地局２へ送信する（ステップＳ１３）。
【００３９】
次に、基地局２の制御部２４は、測定部２６に対して、移動局１−１からのＳＲＳおよびリレー局３を介した信号の測定を行うように指示する。この指示を受けて、測定部２６は、無線部２１において受信した移動局１−１からのＳＲＳおよびリレー局３を介した信号の測定を行い、測定結果の情報を制御部２４へ出力する（ステップＳ１４）。そして、制御部２４は、移動局１−１より報告されたＣＳＩ−ＲＳ測定結果、リレー局３より報告されたＣＳＩ−ＲＳ測定結果および測定部２６から出力された測定結果の情報を用いて、伝送経路１〜３の評価値Ｅ経路１、Ｅ経路２及びＥ経路３を算出する（ステップＳ１５）。この評価値Ｅの算出は、公知の方法（例えば、特許文献２に記載された方法）を用いることができるため、詳細な算出方法の説明は省略する。制御部２４は、算出した評価値Ｅを経路選択部２７へ出力する。
【００４０】
この評価値Ｅを受けて、経路選択部２７は、算出した伝送経路１〜３の評価値Ｅ経路１〜Ｅ経路３を比較する。Ｅ経路１≦Ｅ経路２≦Ｅ経路３である場合には、経路選択部２７は、移動局１−１に関するキャリアアグリゲーションの伝送経路として、伝送経路１および２を選択して決定し、制御部２４に対して決定した伝送経路の情報を通知する。すなわち、基地局２と移動局１−１は、リレー局を介さない伝送経路１および２でキャリアアグリゲーションによる通信を行うように通知する。この通知を受けて、制御部２４は、リレー局３を介さない伝送経路１および２を使用してキャリアアグリゲーションによる通信を行うように制御を行うことにより、基地局２と移動局１−１との間で通信を開始する（ステップＳ１６）。例えば、基地局２は、トラフィックデータやコントロールデータを、移動局１−１に送信する。
【００４１】
次に、図４を参照して、リレー局３を介して、基地局２と移動局１−２が通信を行う動作を説明する。ここでは、移動局１−２が基地局のセルａ（第１のキャリア）に在圏している場合について説明する。移動局１−２の発信手続きまたは移動局１−２の着信手続き後（ステップＳ２１，Ｓ２２）、移動局１−２は、２つのコンポーネントキャリアによるキャリアアグリゲーションを行う。具体的には、ステップＳ２１では、移動局１−２と基地局２の間では、ＲＲＣ接続確立の処理が行われる。また、ステップＳ２２では、移動局１−２と基地局２の間では、ＥＰＳ接続確立の処理が行われる。
図４に示すステップＳ２３〜Ｓ３４の処理動作は、図３に示すステップＳ３〜Ｓ１４の処理動作と同様であるので、ここでは簡単に説明する。
【００４２】
まず、基地局２の制御部２４は、送信部２２、無線部２１を介して、第１のキャリアおよび第２のキャリアを使用してＣＳＩ−ＲＳを送信する（ステップＳ２３）。そして、基地局２の制御部２４は、送信部２２、無線部２１を介して、リレー局３に対し、ＣＳＩ−ＲＳの送信を要求する要求信号を送信する（ステップＳ２４）。この要求信号は、リレー局３の無線部３１、受信部３３を介して制御部３４が受信する。これを受けて、リレー局３の制御部３４は、ＣＳＩ−ＲＳ送信要求信号に従い、第３のキャリアを使用して、ＣＳＩ−ＲＳの信号を送信する（ステップＳ２５）。
【００４３】
次に、基地局２の制御部２４は、送信部２２、無線部２１を介して、移動局１−２に対してＣＳＩ−ＲＳの信号の測定を要求する要求信号を送信する（ステップＳ２６）。この要求信号は、移動局１−２の無線部１１、受信部１３を介して、制御部１４が受信する。
このＣＳＩ−ＲＳ測定要求信号を受けて、移動局１−２の制御部１４は、測定部１６に対して、ＣＳＩ−ＲＳの信号測定を指示する。測定部１６は、無線部１１において受信した在圏するセルを含めた周辺セルのＣＳＩ−ＲＳの信号測定を行い、この信号測定結果の情報を制御部１４へ出力する（ステップＳ２７）。制御部１４は、測定部１６から出力されたＣＳＩ−ＲＳの信号測定結果の情報を送信部１２、無線部１１を介して基地局２に対して送信する（ステップＳ２８）。これにより、第１〜第３のキャリアのＣＳＩ−ＲＳの信号測定結果が基地局２へ報告される。
【００４４】
次に、基地局２の制御部２４は、送信部２２、無線部２１を介して、ＳＲＳの送信を要求する要求信号を移動局１−２に対して送信する（ステップＳ２９）。この要求信号は、無線部１１、受信部１３を介して、制御部１４が受信する。このＳＲＳ送信要求信号を受けて、制御部１４は、第１〜第３のキャリアに対応するコンポーネントキャリアを使用してＳＲＳの信号を送信部１２、無線部１１を介して送信する（ステップＳ３０）。
【００４５】
次に、基地局２の制御部２４は、送信部２２、無線部２１を介して、リレー局３に対して、ＳＲＳおよびＣＳＩ−ＲＳの測定を要求する要求信号を送信する（ステップＳ３１）。この要求信号は、無線部３１、受信部３３を介して、制御部３４が受信する。これを受けてリレー局３の制御部３４は、測定部３５に対して、ＳＲＳおよびＣＳＩ−ＲＳの信号測定を指示する。測定部３５は、この指示を受けて、無線部３１において受信したＳＲＳおよびＣＳＩ−ＲＳの信号測定を行い、測定結果の情報を制御部３４へ出力する。制御部３４は、測定部３５から出力されたＣＳＩ−ＲＳの信号測定結果の情報を送信部３２、無線部３１を介して、基地局２へ送信する（ステップＳ３３）。
【００４６】
次に、基地局２の制御部２４は、測定部２６に対して、移動局１−２からのＳＲＳおよびリレー局３を介した信号の測定を行うように指示する。この指示を受けて、測定部２６は、無線部２１において受信した移動局１−１からのＳＲＳおよびリレー局３を介した信号の測定を行い、測定結果の情報を制御部２４へ出力する（ステップＳ３４）。そして、制御部２４は、移動局１−２より報告されたＣＳＩ−ＲＳ測定結果、リレー局３より報告されたＣＳＩ−ＲＳ測定結果および測定部２６から出力された測定結果の情報を用いて、伝送経路４〜６の評価値Ｅ経路４、Ｅ経路５及びＥ経路６を算出する（ステップＳ３５）。制御部２４は、算出した評価値Ｅを経路選択部２７へ出力する。
【００４７】
この評価値Ｅを受けて、経路選択部２７は、算出した伝送経路４〜６の評価値Ｅ経路４〜Ｅ経路６を比較する。Ｅ経路６≦Ｅ経路４≦Ｅ経路５である場合には、移動局１−２に関するキャリアアグリゲーションの伝送経路として、伝送経路４および伝送経路６を選択して決定し、制御部２４に対して決定した伝送経路の情報を通知する。すなわち、基地局２と移動局１−２は、第１のキャリアによる伝送経路１およびリレー局３を介する伝送経路６によりキャリアアグリゲーションによる通信を行うように通知する。この通知を受けて、制御部２４は、リレー局３を介した伝送経路４および６を使用してキャリアアグリゲーションによる通信を行うように制御を行うことにより、基地局２と移動局１−２との間で通信を開始する（ステップＳ３６〜Ｓ３８）。例えば、基地局２は、トラフィックデータを、リレー局３に送信する（ステップＳ３６）。また、基地局２は、トラフィックデータやコントロールデータを、移動局１−２に送信する（ステップＳ３７）。また、リレー局３は、トラフィックデータを、移動局１−２に送信する（ステップＳ３８）。
【００４８】
なお、前述した説明においては、移動局１−１および移動局１−２に着目したキャリアアグリゲーションの伝送経路選択方法では、ステップＳ３〜Ｓ８（ステップＳ２３〜Ｓ２８）の処置動作によって移動局１−１、１−２においてＣＳＩ−ＲＳを測定し、基地局２に報告する動作を説明した。しかし、簡略化した方法として、ステップＳ３〜Ｓ５（ステップＳ２３〜Ｓ２５）を省略し、ステップＳ６（ステップＳ２６）にて基地局２が移動局１−１、１−２に対して通常の測定要求（measurement request）を要求し、ステップＳ７（ステップＳ２７）において移動局１−１、１−２が基地局２の第１のキャリア、第２のキャリアおよびリレー局３の第２のキャリア各々のＲＳ（Reference Signal）の受信電力（ＲＳＲＰ：Reference Signal Received Power：リファレンス信号の受信電力）と各々の報知情報に含まれる送信電力より各伝送経路の伝搬路損失（Pass loss）を測定し、基地局２にＲＳＲＰまたは伝搬路損失を報告するようにしてもよい。
【００４９】
伝搬路損失の測定は、基地局２またはリレー局３から送信される報知情報に含まれる送信電力と、移動局１−１、１−２で受信した信号の受信電力の比で得られ、測定が比較的容易であるとともに基地局２に通知する際の情報量も少ない。一方でＣＳＩ（Channel State Information）は、基地局２と移動局１−１、１−２の間のチャネル行列の形で与えられ、基地局２の送信アンテナをＮＢＳ、移動局１−１、１−２の受信アンテナをＮＭＳとすると、ＮＭＳ×ＮＢＳの複素数の行列となるため、情報量も多くなる。しかし、マルチユーザＭＩＭＯ（ＭＵ−ＭＩＭＯ）やビームフォーミングの影響を調べるには、ＣＳＩが必要となる。
【００５０】
また、ステップＳ１５（ステップＳ３５）において、各伝送経路の評価値をダウンリンクの信号についてのみ求めるのであれば、ステップＳ９〜Ｓ１４（ステップＳ２９〜Ｓ３４）の処理動作については、省略することが可能である。ＴＤＤのシステムでは、アップリンク／ダウンリンクとも同一周波数の伝送経路を使用するため、ダウンリンクの信号のみによる評価で十分である。
【００５１】
以上説明したように、基地局と複数の移動局の間でキャリアアグリゲーションによる通信を行う場合に、リレー局経由の伝送経路を含む各伝送経路の評価値に基づく伝送経路選択を行うことが可能になる。また、基地局と複数の移動局の間でキャリアアグリゲーションによる通信を行う場合に、キャリアアグリゲーションの対象となるサブキャリアのうち、一部のサブキャリアをバックホールリンク（Backhaul Link：基地局−リレー局間のリンク）に用い、他の一部または全部のサブキャリアを移動局との通信に使用するリレーシステムを含む無線通信システムを実現することができる。
【００５２】
なお、図２に示す測定部１６、２６、３５及び経路選択部２７の機能を実現するためのプログラムをコンピュータ読み取り可能な記録媒体に記録して、この記録媒体に記録されたプログラムをコンピュータシステムに読み込ませ、実行することにより無線通信経路選択処理を行ってもよい。なお、ここでいう「コンピュータシステム」とは、ＯＳや周辺機器等のハードウェアを含む。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含む。
【００５３】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであってもよい。さらに、前述した機能をコンピュータシステムにすでに記録されているプログラムとの組み合わせで実現できるもの、いわゆる差分ファイル（差分プログラム）であってもよい。
【産業上の利用可能性】
【００５４】
リレー局装置を介する場合を含めた、基地局装置が、移動通信端末との通信に用いる伝送経路を選択する移動体通信に適用できる。
【符号の説明】
【００５５】
１−１、１−２・・・移動通信端末（移動局）、１１・・・無線部、１２・・・送信部、１３・・・受信部、１４・・・制御部、１５・・・アプリケーション部、１６・・・測定部、２・・・基地局装置（基地局）、２１・・・無線部、２２・・・送信部、２３・・・受信部、２４・・・制御部、２５・・・ネットワーク通信部、２６・・・測定部、２７・・・経路選択部、３・・・リレー局装置（リレー局）、３１・・・無線部、３２・・・送信部、３３・・・受信部、３４・・・制御部、３５・・・測定部、ａ、ｂ、ｃ・・・セル
【図１】
2012115229.tif 000003
【図２】
2012115229.tif 000004
【図３】
2012115229.tif 000005
【図４】
2012115229.tif 000006
【手続補正書】
【提出日】平成26年2月7日(2014.2.7)
【手続補正１】
【補正対象書類名】特許請求の範囲
【補正対象項目名】全文
【補正方法】変更
【補正の内容】
【特許請求の範囲】
【請求項１】
基地局装置と、移動通信端末と、前記基地局装置と前記移動通信端末の間でデータ伝送を中継するリレー局装置を備える無線通信システムであって、
コンポーネントキャリアである第１のキャリアを使用して前記基地局装置と前記移動通信端末間の無線通信を行う第１の伝送経路と、
前記第１のキャリアと周波数が異なるコンポーネントキャリアである第２のキャリアを使用して前記基地局装置と前記移動通信端末間の無線通信を行う第２の伝送経路と、
前記第１のキャリアを使用して、前記基地局装置と前記リレー局装置間の無線通信を行うとともに、第３のキャリアを使用して前記リレー局装置と前記移動通信端末間の無線通信を行うことにより、前記リレー局装置を経由して、前記基地局装置と前記移動通信端末間の無線通信を行う第３の伝送経路のうち、２つ以上の伝送経路が使用可能であり、
前記基地局装置は、
前記第１、第２及び第３の伝送経路それぞれの評価値を算出するための情報を収集する
情報収集部と、
前記収集した情報に基づき、前記第１、第２及び第３の伝送経路それぞれの評価値を算出する評価値算出部と、
前記第１、第２及び第３の伝送経路それぞれの評価値を用いて、前記移動通信端末が使用する伝送経路を選択する伝送経路選択部と、
を備え、
前記情報を収集するために、前記リレー局装置に対してキャリアアグリゲーションの候補となるコンポーネントキャリアを使用してリファレンス信号を送信することを要求し、キャリアアグリゲーションを行う前記移動通信端末に対して、前記基地局装置および周辺の複数のリレー局装置が送信しているリファレンス信号の測定を要求し、
前記移動通信端末は、前記リファレンス信号の測定要求に応じて測定された測定結果情報を前記基地局装置に対して報告する無線通信システム。
【請求項２】
前記基地局装置は、前記情報を収集するために、前記移動通信端末に対してキャリアアグリゲーションの候補となるコンポーネントキャリアを使用してリファレンス信号を送信することを要求し、キャリアアグリゲーションを行う前記リレー局装置に対して、周辺の前記移動通信端末が送信しているリファレンス信号の測定を要求し、
前記リレー局装置は、前記リファレンス信号の測定要求に応じて測定された測定結果情報を前記基地局装置に対して報告する請求項１に記載の無線通信システム。
【請求項３】
基地局装置と、移動通信端末と、前記基地局装置と前記移動通信端末の間でデータ伝送を中継するリレー局装置を備える無線通信システムであって、
コンポーネントキャリアである第１のキャリアを使用して前記基地局装置と前記移動通信端末間の無線通信を行う第１の伝送経路と、
前記第１のキャリアと周波数が異なるコンポーネントキャリアである第２のキャリアを使用して前記基地局装置と前記移動通信端末間の無線通信を行う第２の伝送経路と、
前記第１のキャリアを使用して、前記基地局装置と前記リレー局装置間の無線通信を行うとともに、第３のキャリアを使用して前記リレー局装置と前記移動通信端末間の無線通信を行うことにより、前記リレー局装置を経由して、前記基地局装置と前記移動通信端末間の無線通信を行う第３の伝送経路のうち、２つ以上の伝送経路が使用可能であり、
前記基地局装置は、
前記第２及び第３の伝送経路それぞれの評価値を算出するための情報を収集する情報収集部と、
前記収集した情報に基づき、前記第２及び第３の伝送経路それぞれの評価値を算出する評価値算出部と、
前記第２及び第３の伝送経路それぞれの評価値を用いて、前記第２ならびに第３の伝送経路のいずれかを前記移動通信端末が使用する伝送経路の１つとして選択し、前記第１の伝送経路を前記移動通信端末が使用する伝送経路の他の１つとして選択する伝送経路選択部と、
を備える無線通信システム。
【請求項４】
移動通信端末と、リレー局装置と無線通信を行う基地局装置であって、
コンポーネントキャリアである第１のキャリアを使用して前記基地局装置と前記移動通信端末間の無線通信を行う第１の伝送経路と、
前記第１のキャリアと周波数が異なるコンポーネントキャリアである第２のキャリアを使用して前記基地局装置と前記移動通信端末間の無線通信を行う第２の伝送経路と、
前記第１のキャリアを使用して、前記基地局装置と前記リレー局装置間の無線通信を行うとともに、第３のキャリアを使用して前記リレー局装置と前記移動通信端末間の無線通信を行うことにより、前記リレー局装置を経由して、前記基地局装置と前記移動通信端末間の無線通信を行う第３の伝送経路のうち、２つ以上の伝送経路が使用可能であり、
前記第１、第２及び第３の伝送経路それぞれの評価値を算出するための情報を収集する情報収集部と、
前記収集した情報に基づき、前記第１、第２及び第３の伝送経路それぞれの評価値を算出する評価値算出部と、
前記第１、第２及び第３の伝送経路それぞれの評価値を用いて、前記移動通信端末が使用する伝送経路を選択する伝送経路選択部と、
を備え、
前記情報を収集するために、前記リレー局装置に対してキャリアアグリゲーションの候補となるコンポーネントキャリアを使用してリファレンス信号を送信することを要求し、キャリアアグリゲーションを行う前記移動通信端末に対して、前記基地局装置および周辺の複数のリレー局装置が送信しているリファレンス信号の測定を要求し、
前記移動通信端末から、前記リファレンス信号の測定要求に応じて測定された測定結果情報を受信する基地局装置。
【請求項５】
基地局装置と、移動通信端末と、前記基地局装置と前記移動通信端末の間でデータ伝送を中継するリレー局装置を備える無線通信システムにおける無線通信経路選択方法であって、
コンポーネントキャリアである第１のキャリアを使用して前記基地局装置と前記移動通信端末間の無線通信を行う第１の伝送経路と、
前記第１のキャリアと周波数が異なるコンポーネントキャリアである第２のキャリアを使用して前記基地局装置と前記移動通信端末間の無線通信を行う第２の伝送経路と、
前記第１のキャリアを使用して、前記基地局装置と前記リレー局装置間の無線通信を行うとともに、第３のキャリアを使用して前記リレー局装置と前記移動通信端末間の無線通信を行うことにより、前記リレー局装置を経由して、前記基地局装置と前記移動通信端末間の無線通信を行う第３の伝送経路のうち、２つ以上の伝送経路が使用可能であり、
前記基地局装置は、
前記第１、第２及び第３の伝送経路それぞれの評価値を算出するための情報を収集し、
前記収集した情報に基づき、前記第１、第２及び第３の伝送経路それぞれの評価値を算出し、
前記第１、第２及び第３の伝送経路それぞれの評価値を用いて、前記移動通信端末が使用する伝送経路を選択し、
前記情報を収集するために、前記リレー局装置に対してキャリアアグリゲーションの候補となるコンポーネントキャリアを使用してリファレンス信号を送信することを要求し、キャリアアグリゲーションを行う前記移動通信端末に対して、前記基地局装置および周辺の複数のリレー局装置が送信しているリファレンス信号の測定を要求し、
前記移動通信端末は、前記リファレンス信号の測定要求に応じて測定された測定結果情報を前記基地局装置に対して報告する無線通信経路選択方法。
【請求項６】
前記基地局装置は、前記情報を収集するために、前記移動通信端末に対してキャリアアグリゲーションの候補となるコンポーネントキャリアを使用してリファレンス信号を送信することを要求し、キャリアアグリゲーションを行う前記リレー局装置に対して、周辺の前記移動通信端末が送信しているリファレンス信号の測定を要求し、
前記リレー局装置は、前記リファレンス信号の測定要求に応じて測定された測定結果情報を前記基地局装置に対して報告する請求項５に記載の無線通信経路選択方法。
【請求項７】
基地局装置と、移動通信端末と、前記基地局装置と前記移動通信端末の間でデータ伝送を中継するリレー局装置を備える無線通信システムにおける無線通信経路選択方法であって、
コンポーネントキャリアである第１のキャリアを使用して前記基地局装置と前記移動通信端末間の無線通信を行う第１の伝送経路と、
前記第１のキャリアと周波数が異なるコンポーネントキャリアである第２のキャリアを使用して前記基地局装置と前記移動通信端末間の無線通信を行う第２の伝送経路と、
前記第１のキャリアを使用して、前記基地局装置と前記リレー局装置間の無線通信を行うとともに、第３のキャリアを使用して前記リレー局装置と前記移動通信端末間の無線通信を行うことにより、前記リレー局装置を経由して、前記基地局装置と前記移動通信端末間の無線通信を行う第３の伝送経路のうち、２つ以上の伝送経路が使用可能であり、
前記基地局装置は、
前記第２及び第３の伝送経路それぞれの評価値を算出するための情報を収集し、
前記収集した情報に基づき、前記第２及び第３の伝送経路それぞれの評価値を算出し、
前記第２及び第３の伝送経路それぞれの評価値を用いて、前記第２ならびに第３の伝送経路のいずれかを前記移動通信端末が使用する伝送経路の１つとして選択し、前記第１の伝送経路を前記移動通信端末が使用する伝送経路の他の１つとして選択する無線通信経路選択方法。
【手続補正２】
【補正対象書類名】明細書
【補正対象項目名】０００９
【補正方法】変更
【補正の内容】
【０００９】
（１）  本発明の第１の態様は、基地局装置と、移動通信端末と、前記基地局装置と前記移動通信端末の間でデータ伝送を中継するリレー局装置を備える無線通信システムであって、コンポーネントキャリアである第１のキャリアを使用して前記基地局装置と前記移動通信端末間の無線通信を行う第１の伝送経路と、前記第１のキャリアと周波数が異なるコンポーネントキャリアである第２のキャリアを使用して前記基地局装置と前記移動通信端末間の無線通信を行う第２の伝送経路と、前記第１のキャリアを使用して、前記基地局装置と前記リレー局装置間の無線通信を行うとともに、第３のキャリアを使用して前記リレー局装置と前記移動通信端末間の無線通信を行うことにより、前記リレー局装置を経由して、前記基地局装置と前記移動通信端末間の無線通信を行う第３の伝送経路のうち、２つ以上の伝送経路が使用可能であり、前記基地局装置は、前記第１、第２及び第３の伝送経路それぞれの評価値を算出するための情報を収集する情報収集部と、前記収集した情報に基づき、前記第１、第２及び第３の伝送経路それぞれの評価値を算出する評価値算出部と、前記第１、第２及び第３の伝送経路それぞれの評価値を用いて、前記移動通信端末が使用する伝送経路を選択する伝送経路選択部と、を備え、前記情報を収集するために、前記リレー局装置に対してキャリアアグリゲーションの候補となるコンポーネントキャリアを使用してリファレンス信号を送信することを要求し、キャリアアグリゲーションを行う前記移動通信端末に対して、前記基地局装置および周辺の複数のリレー局装置が送信しているリファレンス信号の測定を要求し、前記移動通信端末は、前記リファレンス信号の測定要求に応じて測定された測定結果情報を前記基地局装置に対して報告する無線通信システムである。
【手続補正３】
【補正対象書類名】明細書
【補正対象項目名】００１０
【補正方法】変更
【補正の内容】
【００１０】
（２）  また、本発明の第１の態様において、前記基地局装置は、前記情報を収集するために、前記移動通信端末に対してキャリアアグリゲーションの候補となるコンポーネントキャリアを使用してリファレンス信号を送信することを要求し、キャリアアグリゲーションを行う前記リレー局装置に対して、周辺の前記移動通信端末が送信しているリファレンス信号の測定を要求し、前記リレー局装置は、前記リファレンス信号の測定要求に応じて測定された測定結果情報を前記基地局装置に対して報告しても良い。
【手続補正４】
【補正対象書類名】明細書
【補正対象項目名】００１１
【補正方法】変更
【補正の内容】
【００１１】
（３）  また、本発明の第１の態様は、基地局装置と、移動通信端末と、前記基地局装置と前記移動通信端末の間でデータ伝送を中継するリレー局装置を備える無線通信システムであって、コンポーネントキャリアである第１のキャリアを使用して前記基地局装置と前記移動通信端末間の無線通信を行う第１の伝送経路と、前記第１のキャリアと周波数が異なるコンポーネントキャリアである第２のキャリアを使用して前記基地局装置と前記移動通信端末間の無線通信を行う第２の伝送経路と、前記第１のキャリアを使用して、前記基地局装置と前記リレー局装置間の無線通信を行うとともに、第３のキャリアを使用して前記リレー局装置と前記移動通信端末間の無線通信を行うことにより、前記リレー局装置を経由して、前記基地局装置と前記移動通信端末間の無線通信を行う第３の伝送経路のうち、２つ以上の伝送経路が使用可能であり、前記基地局装置は、前記第２及び第３の伝送経路それぞれの評価値を算出するための情報を収集する情報収集部と、前記収集した情報に基づき、前記第２及び第３の伝送経路それぞれの評価値を算出する評価値算出部と、前記第２及び第３の伝送経路それぞれの評価値を用いて、前記第２ならびに第３の伝送経路のいずれかを前記移動通信端末が使用する伝送経路の１つとして選択し、前記第１の伝送経路を前記移動通信端末が使用する伝送経路の他の１つとして選択する伝送経路選択部と、を備える無線通信システムである。
【手続補正５】
【補正対象書類名】明細書
【補正対象項目名】００１２
【補正方法】変更
【補正の内容】
【００１２】
（４）  また、本発明の第２の態様は、移動通信端末と、リレー局装置と無線通信を行う基地局装置であって、コンポーネントキャリアである第１のキャリアを使用して前記基地局装置と前記移動通信端末間の無線通信を行う第１の伝送経路と、前記第１のキャリアと周波数が異なるコンポーネントキャリアである第２のキャリアを使用して前記基地局装置と前記移動通信端末間の無線通信を行う第２の伝送経路と、前記第１のキャリアを使用して、前記基地局装置と前記リレー局装置間の無線通信を行うとともに、第３のキャリアを使用して前記リレー局装置と前記移動通信端末間の無線通信を行うことにより、前記リレー局装置を経由して、前記基地局装置と前記移動通信端末間の無線通信を行う第３の伝送経路のうち、２つ以上の伝送経路が使用可能であり、前記第１、第２及び第３の伝送経路それぞれの評価値を算出するための情報を収集する情報収集部と、前記収集した情報に基づき、前記第１、第２及び第３の伝送経路それぞれの評価値を算出する評価値算出部と、前記第１、第２及び第３の伝送経路それぞれの評価値を用いて、前記移動通信端末が使用する伝送経路を選択する伝送経路選択部と、を備え、前記情報を収集するために、前記リレー局装置に対してキャリアアグリゲーションの候補となるコンポーネントキャリアを使用してリファレンス信号を送信することを要求し、キャリアアグリゲーションを行う前記移動通信端末に対して、前記基地局装置および周辺の複数のリレー局装置が送信しているリファレンス信号の測定を要求し、前記移動通信端末から、前記リファレンス信号の測定要求に応じて測定された測定結果情報を受信する基地局装置である。
【手続補正６】
【補正対象書類名】明細書
【補正対象項目名】００１３
【補正方法】変更
【補正の内容】
【００１３】
（５）  本発明の第３の態様は、基地局装置と、移動通信端末と、前記基地局装置と前記移動通信端末の間でデータ伝送を中継するリレー局装置を備える無線通信システムにおける無線通信経路選択方法であって、コンポーネントキャリアである第１のキャリアを使用して前記基地局装置と前記移動通信端末間の無線通信を行う第１の伝送経路と、前記第１のキャリアと周波数が異なるコンポーネントキャリアである第２のキャリアを使用して前記基地局装置と前記移動通信端末間の無線通信を行う第２の伝送経路と、前記第１のキャリアを使用して、前記基地局装置と前記リレー局装置間の無線通信を行うとともに、第３のキャリアを使用して前記リレー局装置と前記移動通信端末間の無線通信を行うことにより、前記リレー局装置を経由して、前記基地局装置と前記移動通信端末間の無線通信を行う第３の伝送経路のうち、２つ以上の伝送経路が使用可能であり、前記基地局装置は、前記第１、第２及び第３の伝送経路それぞれの評価値を算出するための情報を収集し、前記収集した情報に基づき、前記第１、第２及び第３の伝送経路それぞれの評価値を算出し、前記第１、第２及び第３の伝送経路それぞれの評価値を用いて、前記移動通信端末が使用する伝送経路を選択し、前記情報を収集するために、前記リレー局装置に対してキャリアアグリゲーションの候補となるコンポーネントキャリアを使用してリファレンス信号を送信することを要求し、キャリアアグリゲーションを行う前記移動通信端末に対して、前記基地局装置および周辺の複数のリレー局装置が送信しているリファレンス信号の測定を要求し、前記移動通信端末は、前記リファレンス信号の測定要求に応じて測定された測定結果情報を前記基地局装置に対して報告する。
【手続補正７】
【補正対象書類名】明細書
【補正対象項目名】００１４
【補正方法】変更
【補正の内容】
【００１４】
（６）  また、本発明の第３の態様において、前記基地局装置は、前記情報を収集するために、前記移動通信端末に対してキャリアアグリゲーションの候補となるコンポーネントキャリアを使用してリファレンス信号を送信することを要求し、キャリアアグリゲーションを行う前記リレー局装置に対して、周辺の前記移動通信端末が送信しているリファレンス信号の測定を要求し、前記リレー局装置は、前記リファレンス信号の測定要求に応じて測定された測定結果情報を前記基地局装置に対して報告しても良い。
【手続補正８】
【補正対象書類名】明細書
【補正対象項目名】００１５
【補正方法】変更
【補正の内容】
【００１５】
（７）  本発明の第３の態様は、基地局装置と、移動通信端末と、前記基地局装置と前記移動通信端末の間でデータ伝送を中継するリレー局装置を備える無線通信システムにおける無線通信経路選択方法であって、コンポーネントキャリアである第１のキャリアを使用して前記基地局装置と前記移動通信端末間の無線通信を行う第１の伝送経路と、前記第１のキャリアと周波数が異なるコンポーネントキャリアである第２のキャリアを使用して前記基地局装置と前記移動通信端末間の無線通信を行う第２の伝送経路と、前記第１のキャリアを使用して、前記基地局装置と前記リレー局装置間の無線通信を行うとともに、第３のキャリアを使用して前記リレー局装置と前記移動通信端末間の無線通信を行うことにより、前記リレー局装置を経由して、前記基地局装置と前記移動通信端末間の無線通信を行う第３の伝送経路のうち、２つ以上の伝送経路が使用可能であり、前記基地局装置は、前記第２及び第３の伝送経路それぞれの評価値を算出するための情報を収集し、前記収集した情報に基づき、前記第２及び第３の伝送経路それぞれの評価値を算出し、前記第２及び第３の伝送経路それぞれの評価値を用いて、前記第２ならびに第３の伝送経路のいずれかを前記移動通信端末が使用する伝送経路の１つとして選択し、前記第１の伝送経路を前記移動通信端末が使用する伝送経路の他の１つとして選択する無線通信経路選択方法である。
【国際調査報告】
2012115229.tif 000007
2012115229.tif 000008
2012115229.tif 000009
2012115229.tif 000010